(57)【要約】      （修正有）【課題】電源装置への組み付け時に、個々に異なる特性曲線を容易に且つ正確に設定することができる液晶表示装置の設定方法を提供する。【解決手段】装置本体と、液晶パネルと、コントロール部（制御手段）と、ＬＣＤドライバ（駆動回路）と、液晶パネルの温度を検出するサーミスタ（温度検出手段）と、温度と最適状態に表示させるための駆動電圧との特性曲線を記憶するＥＥＰＲＯＭ（記憶手段）とを備え、コントローラが、ＥＥＰＲＯＭに記憶された特性曲線と、サーミスタによって検出された温度とに基づいて駆動電圧を制御する液晶表示装置において、ＥＥＰＲＯＭに、基準特性曲線を記憶させ、装置本体に、液晶パネルごとにあらかじめ設定された基準特性曲線に対する補正値を書き込んだバーコード（画像コード）を設け、バーコードを読取装置によって読み取り、読取装置から読み取った補正値に基づいて基準特性曲線を補正することで所定の特性曲線を設定する。【選択図】図５
2009128869.tif 000002
【特許請求の範囲】
【請求項１】
装置本体と、該装置本体に設けられた液晶パネルと、該液晶パネルに印加される駆動電圧を制御する制御手段と、該制御手段からの制御信号に応じて前記液晶パネルに所定の駆動電圧を印加する駆動回路と、前記液晶パネルの温度を検出する温度検出手段と、前記液晶パネルの温度と前記液晶パネルを最適状態に表示させるための駆動電圧との相関関係を示す特性曲線を記憶する記憶手段とを備え、
前記制御手段が、前記記憶手段に記憶された特性曲線と、前記温度検出手段によって検出された温度とに基づいて駆動電圧を制御する液晶表示装置において、前記特性曲線の設定を行う液晶表示装置の設定方法であって、
前記記憶手段に、あらかじめ基準特性曲線を記憶させ、
前記装置本体に、前記液晶パネルごとにあらかじめ設定された前記基準特性曲線に対する補正値を書き込んだ画像コードを設け、
該画像コードを読取装置によって読み取り、
該読取装置から読み取った補正値を前記記憶手段に入力して前記基準特性曲線を補正することで所定の特性曲線を設定することを特徴とする液晶表示装置の設定方法。
【請求項２】
装置本体と、該装置本体に設けられた液晶パネルと、該液晶パネルに印加される駆動電圧を制御する制御手段と、該制御手段からの制御信号に応じて前記液晶パネルに所定の駆動電圧を印加する駆動回路と、前記液晶パネルの温度を検出する温度検出手段と、前記液晶パネルの温度と前記液晶パネルを最適状態に表示させるための駆動電圧との相関関係を示す特性曲線を記憶する記憶手段とを備え、
前記制御手段が、前記記憶手段に記憶された特性曲線と、前記温度検出手段によって検出された温度とに基づいて駆動電圧を制御する液晶表示装置において、前記特性曲線の設定を行う液晶表示装置の設定方法であって、
前記装置本体に、前記液晶パネルごとにあらかじめ決められた所定の特性曲線を書き込んだ画像コードを設け、
該画像コードを読取装置によって読み取り、
該読取装置から読み取った特性曲線を前記記憶手段に入力することで所定の特性曲線を設定することを特徴とする液晶表示装置の設定方法。
【発明の詳細な説明】
【技術分野】
【０００１】
本発明は、例えば車両に搭載される液晶表示装置において、印加される駆動電圧と温度との相関関係を示す特性曲線を設定するための液晶表示装置の設定方法に関するものである。
【背景技術】
【０００２】
一般的に、液晶表示装置において液晶パネルを最適状態に表示させるための駆動電圧（以下、最適駆動電圧という）は、この液晶パネルの温度に応じて変化するようになっている（例えば、特許文献１参照）。
【０００３】
ところで、この液晶パネルの温度と、最適駆動電圧との相関関係を示す特性曲線は、液晶パネルの製造時に発生する品質のバラツキ等により個々に異なるものとなっていた。
【０００４】
そこで、従来から、液晶表示装置を車両等の電源手段を有する装置に組み付ける際に、この液晶表示装置の製造時にあらかじめ測定したデータに基づいて、作業者による手入力により所定の特性曲線を設定していた。
【特許文献１】実公平２−７７６３１号公報
【発明の開示】
【発明が解決しようとする課題】
【０００５】
ところで、上述の液晶表示装置の設定方法では、液晶表示装置ごとに作業者が手入力によって設定しなければならず、この設定作業が煩雑であり、且つ誤設定してしまうおそれがあった。
【０００６】
そこで、この発明は、電源装置への組み付け時に、個々に異なる特性曲線を容易に且つ正確に設定することができる液晶表示装置の設定方法を提供することを課題としている。
【課題を解決するための手段】
【０００７】
上記課題を解決するために、この発明に係る液晶表示装置の設定方法は、装置本体と、該装置本体に設けられた液晶パネルと、該液晶パネルに印加される駆動電圧を制御する制御手段と、該制御手段からの制御信号に応じて前記液晶パネルに所定の駆動電圧を印加する駆動回路と、前記液晶パネルの温度を検出する温度検出手段と、前記液晶パネルの温度と前記液晶パネルを最適状態に表示させるための駆動電圧との相関関係を示す特性曲線を記憶する記憶手段とを備え、前記制御手段が、前記記憶手段に記憶された特性曲線と前記温度検出手段によって検出された温度とに基づいて駆動電圧を制御する液晶表示装置において、前記記憶手段に、あらかじめ基準特性曲線を記憶させ、前記装置本体に、前記液晶パネルごとにあらかじめ設定された前記基準特性曲線に対する補正値を書き込んだ画像コードを設け、該画像コードを読取装置によって読み取り、該読取装置から読み取った補正値を前記記憶手段に入力して前記基準特性曲線を補正することで所定の特性曲線を設定することを特徴としている。
【０００８】
また、前記装置本体に、前記液晶パネルごとにあらかじめ決められた所定の特性曲線を書き込んだ画像コードを設け、該画像コードを読取装置によって読み取り、該読取装置から読み取った特性曲線を前記記憶手段に入力することで所定の特性曲線を設定してもよい。
【発明の効果】
【０００９】
この発明によれば、画像コードを読み取ることであらかじめ記憶されている基準特性曲線に対する補正値を入力し、基準特性曲線を補正することで所定の特性曲線を設定する。これにより、作業者による手入力作業がなくなり、個々に異なる所定の特性曲線を容易に設定することができる。
【００１０】
そして、補正値の設定が画像を読み取ることにより行うことができるため、誤設定が生じず、正確に設定することが可能となる。
【００１１】
また、画像コードを読み取ることであらかじめ決められた特性曲線を記憶手段に入力し、所定の特性曲線を設定する場合であっても、作業者による手入力作業がなくなり、個々に異なる所定の特性曲線を容易に設定することができると共に、誤設定せずに正確に設定することができる。
【００１２】
さらに、この場合では、画像コードに所定の特性曲線が書き込まれていることで、記憶手段にあらかじめ基準特性曲線を記憶させる必要がなくなり、設定作業の簡易化を図ることが可能となる。
【発明を実施するための最良の形態】
【００１３】
本発明に係る液晶表示装置の設定方法の最良の実施の形態について、図面に基づいて説明する。
【００１４】
図１に示す車両用計測器１は、車室内のインストルメントパネルに取り付けられるコンビネーションパネルである。この車両用計測器１は、インストルメントパネルに取り付けられた際に、図示しない車両に搭載されたバッテリー（電源装置）に接続されて、電源供給されるようになっている。
【００１５】
そして、この車両用計測器１は、回動可能に設けられた複数の指針２，…と、各指針２に指示される目盛り部３，…と、所定の表示内容を示す液晶表示部（液晶表示装置）１０とを有している。
【００１６】
液晶表示部１０は、図２に示すように、装置本体１１と、この装置本体１１に設けられた液晶パネル１２と、この液晶パネル１２に印加される駆動電圧を制御するコントロール部（制御手段）１３と、液晶パネル１２に所定の駆動電圧を印加するＬＣＤドライバ（駆動回路）１４と、液晶パネル１２の温度を検出するサーミスタ（温度検出手段）１５と、液晶パネル１２の温度と液晶パネル１２を最適状態に表示させるための駆動電圧（以下、最適駆動電圧という）との相関関係を示す特性曲線Ｋを記憶するＥＥＰＲＯＭ（記憶手段）１６とを備えている。
【００１７】
装置本体１１は、図３に示すように、液晶パネル１２，コントロール部１３，ＬＣＤドライバ１４等が実装された基板部１１ａと、この基板部１１ａから延びるフレキシブルプリント回路部（以下、ＦＰ部という）１１ｂとを有している。
【００１８】
このＦＰ部１１ｂは、車両用計測器１に設けられたコネクタ（図示せず）に接続可能となっており、ＦＰ部１１ｂ及び車両用計測器１を介して車両のバッテリーからこの液晶表示部１０に電力が供給される。
【００１９】
そして、基板部１１ａ及びＦＰ部１１ｂには、バーコード（画像コード）１７が貼付されている。
【００２０】
このバーコード１７には、後述する基準特性曲線Ｋ１に対する補正値Ｈが書き込まれている。
【００２１】
この「補正値」とは、液晶パネル１２ごとに異なるものであり、任意に決められる基準特性曲線Ｋ１と、液晶パネル１２ごとに決まる所定の特性曲線Ｋとの差である。この補正値Ｈは、液晶パネル１２の製造時に測定される。
【００２２】
液晶パネル１２は、車両用計測器１の前面パネル部５にあらかじめ形成された開口部５ａから露出する大きさに形成され、一対のガラス基板間に液晶を封入して形成されている。そして、所定の電圧を印加することで液晶が変化し、任意の情報を表示するようになっている。なお、この液晶パネル１２の最適駆動電圧は、温度に応じて変化する（図４参照）。
【００２３】
コントロール部１３は、ＣＰＵにより構成されており、駆動電圧演算部１３ａを有している。
【００２４】
この駆動電圧演算部１３ａは、サーミスタ１５によって検出された温度と、ＥＥＰＲＯＭ１６に記憶された特性曲線Ｋとに基づいて最適駆動電源を演算し、ＬＣＤドライバ１４に所定の制御信号を出力する。
【００２５】
また、このコントロール部１３には、図示しないバーコードリーダ（読取装置）が適宜接続され、このバーコードリーダによって読み取られたバーコード１７に書き込まれた補正値Ｈが、このバーコードリーダから直接入力されるようになっている。
【００２６】
ＬＣＤドライバ１４は、液晶パネル１２を駆動させる回路であり、液晶パネル１２の近傍に配置されて電気的に接続されている（図３参照）。そして、このＬＣＤドライバ１４は、コントロール部１３から入力された制御信号に対応する駆動電圧を生成し、液晶パネル１２に印加する。
【００２７】
サーミスタ１５は液晶表示パネル１２の裏面側等に設けられ、この液晶表示パネル１２の温度を検出する。このサーミスタ１５からの検出信号は、インターフェース回路１５ａを介してコントロール部１３の駆動電圧演算部１３ａに入力される。
【００２８】
ＥＥＰＲＯＭ１６は、記憶の消去・書き込みを何度でも行うことができる記憶媒体であり、あらかじめ基本特性曲線Ｋ１（図４において一点鎖線で示す）が記憶されている。
【００２９】
なお、この「基準特性曲線」とは、液晶パネル１２を構成する液晶の材料ごとに決まる温度と最適駆動電圧との相関関係を示す特性に沿って任意に設定されるものである。
【００３０】
そして、この基準特性曲線Ｋ１は、後述するようにバーコードリーダからコントロール部１３に入力されたバーコード１７に書き込まれた補正値Ｈに基づいて液晶パネル１２ごとに補正される。
【００３１】
次に、この液晶表示装置１において所定の特性曲線Ｋを設定する設定方法について、図５に示す特性曲線設定処理のフローチャートに沿って説明する。
【００３２】
まず、この液晶表示装置１０の液晶パネル１２を製造する（ステップ１）。このとき、品質のバラツキ等により、液晶パネル１２ごとに温度と、最適駆動電圧との相関関係を示す特性曲線が個々に異なるものとなっている。
【００３３】
そこで、この相関関係を測定し、液晶パネル１２ごとに異なる所定の特性曲線Ｋを求める（ステップ２）。
【００３４】
なお、この特性曲線の測定は、例えば常温（２０℃）等の所定の温度において一定の駆動電圧を印加し、そのときの液晶パネル１２の表示状態を目視確認することで行われる。
【００３５】
すなわち、液晶パネル１２は、最適駆動電圧よりも印加した駆動電圧が低いとコントラスト低下を生じ、最適駆動電圧よりも印加した駆動電圧が高いと画面がちらつくクロストークが発生する。所定の駆動電圧を印加した状態で液晶パネル１２を目視確認し、コントラスト低下やクロストークの発生がないときの駆動電圧を最適駆動電圧とする。
【００３６】
また、温度の変化に対する最適駆動電圧の変化特性は、液晶パネル１２を構成する液晶の材料に依存するため、常温での最適駆動電圧を測定すれば、常温以外の温度における最適駆動電圧は相対的に求めることができる。
【００３７】
そして、この相関関係を示す所定の特性曲線Ｋと、任意に設定された基準特性曲線Ｋ１との差である補正値Ｈを演算し（ステップ３）、この補正値Ｈをバーコード１７にデータとして書き込む（ステップ４）。
【００３８】
さらにこのステップ４では、対応する液晶パネル１２が実装された装置本体１１の基板部１１ａと、この装置本体１１から延びるＦＰ部１１ｂのそれぞれに、補正値Ｈが書き込まれたバーコード１７を貼付する。このとき、バーコード１７が粘着層を有する紙材等に印刷されていると、容易に貼付することができる。
【００３９】
一方、ＥＥＰＲＯＭ１６には、あらかじめ任意に設定された基準特性曲線Ｋ１が入力されて記憶される（ステップ５）。
【００４０】
そして、液晶表示装置１０を車載用計測器１に組み付ける。すなわち、液晶表示装置１０のＦＰ部１１ｂを、車載用計測器１のコネクタ（図示せず）に接続する（ステップ６）。
【００４１】
なお、車載用計測器１は、電源装置であるバッテリーと電気的に接続可能となっている。そのため、液晶表示装置１０のＦＰ部１１ｂをコネクタ（図示せず）に接続することで、この液晶表示装置１０とバッテリーとが電気的に接続されることとなる。
【００４２】
さらにこのとき、図示しないバーコードリーダによってバーコード１７に書き込まれた補正値Ｈを読み取る（ステップ７）。ここで、バーコード１７は、基板１１ａ及びＦＰ部１１ｂに貼付されており、いずれのものを読み取ってもよい。これにより、作業効率を向上させることができる。
【００４３】
バーコードリーダによって読み取られた補正値Ｈは、コントロール部１３に直接入力される（ステップ８）。
【００４４】
コントロール部１３は、バーコードリーダから入力された補正値Ｈに基づいて、ＥＥＰＲＯＭ１６にあらかじめ記憶された基準特性曲線Ｋ１を補正する（ステップ９）。そして、このＥＥＰＲＯＭ１６に記憶された基準特性曲線Ｋ１を書き換えることにより、所定の特性曲線Ｋを設定する（ステップ１０）。
【００４５】
これにより、液晶パネル１２ごとに異なる所定の特性曲線Ｋを設定する際に、作業者による手入力を省略することが可能となり、この所定の特性曲線Ｋを容易に且つ正確に設定することができる。
【００４６】
以上、この発明にかかる実施の形態を図面により詳述してきたが、具体的な構成は上述の実施の形態に限らない。この発明の要旨を逸脱しない範囲の設計の変更等はこの発明に含まれる。
【００４７】
例えば、上述の実施の形態では、ＥＥＰＲＯＭ１６にあらかじめ基準特性曲線Ｋ１を記憶させると共に、バーコード１７に補正値Ｈを書き込んでおき、この補正値Ｈに基づいて基準特性曲線Ｋ１を補正しているが、これに限らない。
【００４８】
図６に示す、第二の特性曲線設定処理のフローチャートに沿って、液晶表示装置１において所定の特性曲線Ｋを設定する設定方法の他の例を説明する。
【００４９】
この第二の特性曲線設定処理では、まず、液晶表示装置１０の液晶パネル１２を製造する（ステップ１１）。
【００５０】
そして、液晶パネル１２ごとに異なる温度と、最適駆動電圧との相関関係を測定し、所定の特性曲線Ｋを求める（ステップ１２）。
【００５１】
次に、この所定の特性曲線Ｋをバーコード１７にデータとして書き込み、さらに、対応する液晶パネル１２が実装された装置本体１１の基板部１１ａと、この装置本体１１から延びるＦＰ部１１ｂのそれぞれに、この所定の特性曲線Ｋが書き込まれたバーコード１７を貼付する（ステップ１３）。
【００５２】
そして、液晶表示装置１０を車載用計測器１に組み付ける。すなわち、液晶表示装置１０のＦＰ部１１ｂをコネクタ（図示せず）に接続する（ステップ１４）。
【００５３】
さらにこのとき、図示しないバーコードリーダによってバーコード１７に書き込まれた特性曲線Ｋを読み取る（ステップ１５）。
【００５４】
バーコードリーダによって読み取られた特性曲線Ｋは、コントロール部１３に直接入力される（ステップ１６）。
【００５５】
コントロール部１３は、バーコードリーダから入力された特性曲線Ｋに基づいて、ＥＥＰＲＯＭ１６にこの所定の特性曲線Ｋを入力し記憶させることにより、所定の特性曲線Ｋを設定する（ステップ１７）。
【００５６】
この場合では、バーコード１７に所定の特性曲線Ｋが書き込まれていることで、ＥＥＰＲＯＭ１６にあらかじめ基準特性曲線Ｋ１を記憶させる必要がなくなり、設定作業の簡易化を図ることが可能となる。
【００５７】
また、液晶の材料が異なる種類の液晶パネル１２であっても、同一のＥＥＰＲＯＭ１６を使用することが可能となる。
【００５８】
さらに、上述の実施の形態では、バーコード１７が装置本体１１の基板部１１ａ及びＦＰ部１１ｂに貼付されているが、容易に目視できて読み取り可能な位置であればよいので、液晶パネル１２の上面等であってもよい。
【００５９】
また、上述の実施の形態では、画像コードとしてバーコードを使用しているが、画像を読み取ることで所定のデータをコントロール部１３に入力することができればよく、ＱＲコードやベリコード等の二次元コードであってもよい。
【図面の簡単な説明】
【００６０】
【図１】液晶表示装置が組み付けられた車載用計測器を示す正面図である。
【図２】液晶表示装置の構成を示すブロック図である。
【図３】液晶表示装置の外観を示す説明図である。
【図４】液晶パネルの温度と最適駆動電圧との相関関係を示す特性図である。
【図５】液晶表示装置の特性曲線設定処理を示すフローチャートである。
【図６】液晶表示装置の第二の特性曲線設定処理を示すフローチャートである。
【符号の説明】
【００６１】
１１        装置本体
１２        液晶パネル
１３        コントロール部（制御手段）
１４        ＬＣＤドライバ（駆動回路）
１５        サーミスタ（温度検出手段）
１６        ＥＥＰＲＯＭ（記憶手段）
１７        バーコード（画像コード）
Ｋ          所定の特性曲線
Ｋ１         基準特性曲線
Ｈ          補正値
【図１】
2009128869.tif 000003
【図２】
2009128869.tif 000004
【図３】
2009128869.tif 000005
【図４】
2009128869.tif 000006
【図５】
2009128869.tif 000007
【図６】
2009128869.tif 000008